(57)【要約】【課題】照明工事を行うことなく設置可能であり、地震時に発光する発光装置を廉価で提供する。【解決手段】振動を感知して発光する発光装置１は、内部に発光回路１８を有する透光性を有する発光体２を含み、発光回路１８は、ＬＥＤライト２６と、ＬＥＤライト２６に電力を供給する電池２４と、常時は電池２４からＬＥＤライト２６への電力供給を遮断し、振動を感知すると所定時間、電力供給を可能とする振動感知スイッチ２８と、からなり、振動感知スイッチ２８は、一対の電極と、一方の電極に接続された金属ばね２８Ａとを備え、一方の電極に接続された金属ばね２８Ａが他方の電極に接触すると所定時間、電力供給を可能とする。【選択図】図２
2013055024.tif 000002
【特許請求の範囲】
【請求項１】
振動を感知して発光する発光装置であって、
内部に発光回路を有する透光性を有する球体を含み、
前記発光回路は、発光素子と、前記発光素子に電力を供給するバッテリーと、常時は前記バッテリーから発光素子への電力供給を遮断し、振動を感知すると電力供給を可能とする振動感知スイッチと、からなり、
前記振動感知スイッチは、一対の電極と、一方の電極に接続された金属ばねとを備え、前記一方の電極に接続された金属ばねが他方の電極に接触すると所定時間、電力供給を可能とする
ことを特徴とする発光装置。
【請求項２】
前記球体は、
透光性を有する外殻と、
前記外殻内に配置された透光性を有する内殻と、
前記外殻及び内殻の間に充填された透光性を有する液体と、を備え、
前記発光回路は、前記内殻内に配置されていることを特徴とする請求項１に記載の発光装置。
【請求項３】
さらに、上面に凹部が形成された基台を含み、
前記球体は常時は前記凹部に嵌めこまれて保持されていることを特徴とする請求項１又は２に記載の発光装置。
【発明の詳細な説明】
【技術分野】
【０００１】  本発明は、地震に発光する発光装置に関する。
【背景技術】
【０００２】  近年、就寝時における地震による停電対策として、寝室に懐中電灯を設置することが行われている。しかしながら、例え、寝室に懐中電灯を設置したとしても、停電時には室内照明が使用できないため、暗闇の中で懐中電灯を探さなければならないという問題がある。【０００３】  これに対して、近年、例えば、特許文献１に記載されているように、振動を感知するスイッチが組み込まれ、振動を感知すると自動的に点灯する室内照明が普及してきている。
【先行技術文献】
【特許文献】
【０００４】
【特許文献１】特開２００７−２８７５００号公報
【発明の概要】
【発明が解決しようとする課題】
【０００５】  しかしながら、上記のように室内照明に振動を感知して点灯する機構を組み込むためには、新たに照明工事が必要となり、非常に手間がかかる。さらに、振動を感知する構成が非常に複雑であるため、コスト高になるという問題がある。【０００６】  本発明は、上記の問題に鑑みなされたものであり、その目的は、照明工事を行うことなく設置可能であり、地震時に発光する発光装置を廉価で提供することである。
【課題を解決するための手段】
【０００７】  本発明の発光装置は、振動を感知して発光する発光装置であって、内部に発光回路を有する透光性を有する球体を含み、発光回路は、発光素子と、発光素子に電力を供給するバッテリーと、常時は前記バッテリーから発光素子への電力供給を遮断し、振動を感知すると電力供給を可能とする振動感知スイッチと、からなり、振動感知スイッチは、一対の電極と、一方の電極に接続された金属ばねとを備え、一方の電極に接続された金属ばねが他方の電極に接触すると所定時間、電力供給を可能とすることを特徴とする。【０００８】  このような構成の本発明によれば、金属ばねにより振動感知スイッチを構成しており、非常にシンプルな構成であり、廉価で発光装置を提供することができる。また、室内照明等に組み込む必要がないため、照明工事を行うことなく設置できる。また、機械的な構成により、振動を感知しているため、故障が生じにくい。【０００９】  本発明において、好ましくは、球体は、透光性を有する外殻と、外殻内に配置された透光性を有する内殻と、外殻及び内殻の間に充填された透光性を有する液体と、を備え、発光回路は、内殻内に配置されている。【００１０】  このような構成の本発明によれば、内殻と外殻との間に充填された液体により光が拡散され、幅広い範囲を照らすことができる。【００１１】  本発明において、好ましくは、さらに、上面に凹部が形成された基台を含み、球体は常時は凹部に嵌めこまれて保持されている。【００１２】  このような構成の本発明によれば、基台に形成された凹部の径や深さを調整することにより、所定の大きさ以上の地震の際のみに、発光体が落下するようにできる。
【発明の効果】
【００１３】  本発明によれば、照明工事を行うことなく設置可能であり、地震時に発光する発光装置を廉価で提供することができる。
【図面の簡単な説明】
【００１４】
【図１】本発明の一実施形態による発光装置の全体構成を示す側面図である。
【図２】図１に示す発光装置の発光体の断面図である。
【図３】図２に示す発光体の発光回路を示す回路図である。
【００１５】  以下、本発明の一実施形態による発光装置を図面を参照しながら説明する。
図１は、本実施形態による発光装置１の全体構成を示す側面図である。同図に示すように、本実施形態の発光装置１は、球体状の発光体２と、発光体２を保持するための台座部４とにより構成される。【００１６】  台座部４は、例えば、プラスチックなどの樹脂や、ステンレスなどの金属などからなり、Ｌ字型に形成された取付部６と、取付部６に固定された基台８とにより構成される。
取付部６は、略垂直方向に接続された平板状の垂直部６Ａと、水平部６Ｂとを備え、水平部６Ｂの上面に基台８が固定されている。例えば、室内の壁面に、取付部６の垂直部６Ａがねじ固定されることにより、台座部４は室内に固定されている。【００１７】  基台８は円錐台形状に形成されており、上面に円形状の凹部１０が形成されている。発光体２は、その下部が基台８の凹部１０に嵌め込まれることにより、台座部４上に載置されている。なお、この凹部１０の深さ及び径を適宜調整することにより、所望の震度以上の地震の場合には、発光体２が落下し、所望の震度未満の地震の場合には発光体２が落下しないように調整できる。【００１８】  図２は、発光体２の構成を示す鉛直断面図である。同図に示すように、発光体２は、外殻１２と、外殻１２内に配置された内殻１４と、外殻１２と内殻１４との間に充填された液体１６と、内殻１４内に設けられた発光回路１８とを備える。【００１９】  外殻１２及び内殻１４は、例えば、無色透明のプラスチックや樹脂からなる球体からなる。内殻１４は外殻１２に比べて小径に形成されている。なお、本実施形態では、無色透明としているが、これに限らず、透光性を有すれば、無色透明である必要はない。
外殻１２及び内殻１４の間に充填された液体１６としては、透光性を有しておればよく、例えば、水や油、粘性を有するゲル等を用いることができる。【００２０】  図３は、発光回路１８の構成を示す回路図である。図２及び図３に示すように、発光回路１８は、基板２０と、基板２０に設けられた保持具２２により保持された電池２４と、ＬＥＤライト２６と、振動感知スイッチ２８と、により構成される。図３に示すように、本実施形態では、電池２４と、３つのＬＥＤライト２６と、振動感知スイッチ２８と、が直列に接続されている。【００２１】  振動感知スイッチ２８は、基板２０上に所定の間隔をあけて形成された一対の電極（不図示）と、一方の電極に一端が接続され、基板２０に対して斜めに延びる伝導性の金属からなる金属ばね２８Ａを含む。金属ばね２８Ａの先端は他方の電極の近傍に間隔をあけて位置している。
振動スイッチ２８は、常時は電池２４とＬＥＤライト２６との間を電気的に遮断しており、基板２０上に形成された第１及び第２の電極の間が通電状態となると、電池２４とＬＥＤライト２６との間を、所定の期間（例えば、２０秒間）にわたって、通電状態とする。このようなスイッチとしては、例えば、自己保持したリレーをオンディレータイマで切る回路などを用いることができる。【００２２】  上記のように、常時は、金属ばね２８Ａの先端と第１の電極とは離間しているため、振動感知スイッチ２８は非通電状態となっている。そして、後述するように、発光体２が落下すると金属ばね２８Ａの先端部が振動し、金属ばね２８Ａの先端が基板２０に形成された第２の電極に接触すると、振動感知スイッチ２８は所定時間、通電状態となる。
振動感知スイッチ２８が通電状態となると、電池２４から発光回路１８を介してＬＥＤライト２６に電力が供給される。これにより、ＬＥＤライト２６が発光する。【００２３】  以下、本実施形態の発光装置１が地震を検知して、発光体２が発光する仕組みを説明する。
本実施形態の発光装置１は、台座部４を寝室などの壁面に取り付けて使用する。上記のように常時は、発光体２は、その下部が台座部４の凹部１０に嵌めこまれて載置されている。かかる状態において、発光体２には振動が生じていないため、振動感知スイッチ２８は非通電状態となっており、ＬＥＤライト２６は発光しない。【００２４】  地震時には、発光体２に振動が作用する。これにより、発光体２が基台８からはずれ落下すると、落下時の加速度及び床に落下した際の振動により金属ばね２８Ａが振動する。これにより振動感知スイッチ２８が通電状態となる。そして、発光回路１８に電池２４から電力が供給され、ＬＥＤライト２６が発光する。また、仮に再び非通電状態となっても、使用者が発光体２を振動させることにより、その間、発光体２を発光させることができる。【００２５】  以上説明したように、本実施形態によれば、振動を感知する仕組みとして、金属ばね２８Ａにより振動感知スイッチ２８を構成しており、非常にシンプルな構成である。このため、廉価で発光装置１を提供することができる。また、室内照明等に組み込む必要がないため、照明工事を行うことなく設置できる。さらに、機械的な構成により、振動を感知しているため、故障が生じにくい。【００２６】  また、内殻１４と外殻１２との間に液体１６を充填しているため、この液体１６により光が拡散され、幅広い範囲を照らすことができる。【００２７】  また、台座部４の基部８に形成された凹部１０の径や深さを調整することにより、所定の大きさ以上の地震の際のみに、発光体２が落下するようにできる。【００２８】  なお、本実施形態では、内殻１４と外殻１２とを設け、これら内殻１４及び外殻１２の間に液体１６を充填しているが、これに限らず、透明な樹脂内に発光回路１８を埋設することとしてもよい。
また、台座部４の構成も上記の構成に限られず、地震時に発光体２が落下するような構成であればよい。
また、本実施形態では、発光体２は振動を感知すると、所定時間点灯する構成としたが、これに限らず、通電状態を維持してもよい。この場合には、振動感知スイッチ２８として、一対の電極間が通電した場合に、通電状態を保持するリレー回路を用いればよい。また、本実施形態では、ＬＥＤライト２６を点灯させる構成としているが、これに限らず、ＬＥＤライト２６を点滅させてもよい。
【符号の説明】
【００２９】１  発光装置
２  発光体
４  台座部
１２  外殻
１４  内殻
１６  液体
２０  基盤
２４  電池
２６  ＬＥＤライト
２８  振動感知スイッチ
２８Ａ  金属ばね
【図１】
2013055024.tif 000003
【図２】
2013055024.tif 000004
【図３】
2013055024.tif 000005